(57)【要約】【課題】  機械室全体の形状を小型化することができるエレベータの機械室構造を提供する。【解決手段】  エレベータの機械室構造１０は、床面８ａを有する機械室８と、機械室８内に配置され床面８ａに支持された巻上機１と、機械室８内に配置され床面８ａに支持されたロープヒッチビーム７とを備えている。機械室８内のロープヒッチビーム７上に作業台７が設けられている。この作業台７上に制御盤６が設置されている。【選択図】  図１
2005219918.tif 000002
【特許請求の範囲】
【請求項１】
床面を有する機械室と、
機械室内に配置され、床面に支持された巻上機と、
機械室内に配置され、床面に支持されたビームとを備え、
機械室内に、ビーム上に位置する作業台を設け、作業台上に制御盤を配置したことを特徴とするエレベータの機械室構造。
【請求項２】
機械室内に、作業台から上方へ突出するロープヒッチ部を設けたことを特徴とする請求項１記載のエレベータの機械室構造。
【請求項３】
機械室内の作業台下方に、補助制御盤および配管類を配置したことを特徴とする請求項１記載のエレベータの機械室構造。
【請求項４】
作業台に点検用扉を開閉自由に設けたことを特徴とする請求項１記載のエレベータの機械室構造。
【発明の詳細な説明】
【技術分野】
【０００１】
本発明は機械室を有するエレベータの機械室構造に係り、とりわけ機械室の寸法を小さく抑えることができるエレベータの機械室構造に関する。
【背景技術】
【０００２】
図４により、従来のエレベータの機械室構造について説明する。図４に示すように、エレベータの機械室構造１０は、昇降路９の上方に配置されるとともに底面８ａを有する機械室８と、機械室８内に配置され底面８ａにより支持された巻上機１と、機械室８内に配置され床面８ａにより支持されたロープヒッチビーム７とを備えている。
【０００３】
このうち、巻上機１は床面８ａ上に、マシンビーム３、防振装置５およびマシンベッド２を介して支持されている。この場合、マシンビーム３はスペーサビーム４ａを介して床面８ａ下方の建屋受梁４間に配置されている。
【０００４】
また機械室８の床面８ａ上に制御盤６が設置され、さらに巻上機１とロープヒッチビーム７との間にロープヒッチ部２１が設けられている。
【発明の開示】
【発明が解決しようとする課題】
【０００５】
ところで、建築基準法令第１２９条の９によれば、機械室８内の機器間の間隔Ａは、主要作業空間として５０ｃｍ以上確保しなければならない。従って機械室８内において、隣り合う機器、例えば制御盤６とロープヒッチビーム７との間に主作業空間として５０ｃｍ以上の間隔Ａが形成されている。
【０００６】
このように制御盤６とロープヒッチビーム７との間に５０ｃｍ以上の間隔Ａを形成するため、機械室８の間口寸法が大きくなり、場合によっては昇降路９の間口寸法より機械室８の間口寸法を大きくする必要がある。
【０００７】
本発明はこのような点を考慮してなされたものであり、機械室の寸法をできる限り小さくすることができるエレベータの機械室構造を提供することを目的とする。
【課題を解決するための手段】
【０００８】
本発明は、床面を有する機械室と、機械室内に配置され、床面に支持された巻上機と、機械室内に配置され、床面に支持されたビームとを備え、機械室内に、ビーム上に位置する作業台を設け、作業台上に制御盤を配置したことを特徴とするエレベータの機械室構造である。
【０００９】
本発明は、機械室内に、作業台から上方へ突出するロープヒッチ部を設けたことを特徴とするエレベータの機械室構造である。
【００１０】
本発明は、機械室内の作業台下方に、補助制御盤および配管類を配置したことを特徴とするエレベータの機械室構造である。
【００１１】
本発明は、作業台に点検用扉を開閉自由に設けたことを特徴とするエレベータの機械室構造である。
【発明の効果】
【００１２】
以上のように本発明によれば、作業台上に制御盤を配置することにより、制御盤と巻上機との間の作業台上を作業空間として利用することができる。このため、制御盤と巻上機との間の間隔を最小限に抑えることができ、機械室を全体として小型化することができる。
【発明を実施するための最良の形態】
【００１３】
以下、図面を参照して本発明の実施の形態について説明する。図１は本発明によるエレベータの機械室構造の一実施の形態を示す図である。
【００１４】
図１に示すように、エレベータの機械室構造１０は、昇降路９の上方に配置されるとともに底面８ａを有する機械室８と、機械室８内に配置され底面８ａにより支持された巻上機１と、機械室８内に配置され床面８ａにより支持されたロープヒッチビーム７とを備えている。
【００１５】
このうち巻上機１は機械室８の床面８ａ上に、マシンビーム３、防振装置５およびマシンベッド２を介して支持されている。この場合、マシンビーム３はスペーサビーム４ａを介して底面８ａ下方の建屋受梁４間に配置されている。
【００１６】
また機械室８内において、マシンビーム３とロープヒッチビーム７との間にロープピッチ部２１が配置されている。
【００１７】
また図１に示すように、機械室８内において、ロープピッチビーム７およびロープヒッチ部２１の上方に作業台１１が設けられ、この作業台１１は床面８ａに脚１１ａを介して支持されている。さらにまた、機械室８の側壁８ｂに沿って制御盤６が配置され、この制御盤６は作業台１１上に支持されている。
【００１８】
図１において、機械室８内の作業台１１上を作業空間とすることができ、この場合、建築基準法令第１２９条の９で定められた作業空間の間隔Ａを、制御盤６と巻上機１との間にとることができる。
【００１９】
このため、制御盤６とロープヒッチビーム７との間を作業空間の間隔Ａとする従来例に比べて、巻上機１と制御盤６との間を狭くすることができ、これにより機械室８全体の開口寸法を小さくすることができる。
【００２０】
次に図２および図３により本発明の変形例について説明する。
【００２１】
図２に示す変形例は、ロープヒッチ部２１を作業台１１から上方に突出させたものであり、他の構成は図１に示す実施の形態と略同一である。
【００２２】
図２において、図１に示す実施の形態と同一部分には同一符号を符して詳細な説明は省略する。
【００２３】
図２において、ロープヒッチ部２１が作業台１１から上方へ突出しているため、ロープヒッチ部２１の据付、保守点検作業を容易に行なうことができる。
【００２４】
また図２において、ロープヒッチ部２１と同様、ガバナを作業台１１から上方へ突出させてもよい。
【００２５】
図３に示す変形例は、作業台１１に点検用扉１１ｂを開閉自在に設けるとともに、作業台１１の下方に収納スペース３０を形成し、この収納スペース３０内に補助制御盤３１と配管類３２を収納配置したものである。他の構成は図１に示す実施の形態と略同一である。
【００２６】
図３において、図１に示す実施の形態と同一部分には同一符号を符して詳細な説明は省略する。
【００２７】
図３において、作業台１１の下方の収納スペース３０内に補助制御盤３１および配管類３２を収納して、作業台１１の下方の有効利用を図ることができる。また作業台１１の点検用扉１１ｂを開けることにより、作業台１１上から収納スペース３０内の補助制御盤３１および配管類の点検を行なうことができる。
【図面の簡単な説明】
【００２８】
【図１】本発明によるエレベータの機械室構造の一実施の形態を示す図。
【図２】本発明によるエレベータの機械室構造の変形例を示す図。
【図３】本発明によるエレベータの機械室構造の他の変形例を示す図。
【図４】従来のエレベータの機械室構造を示す図。
【符号の説明】
【００２９】
１  巻上機
２  マシンベッド
３  マシンビーム
４  建屋受梁
５  防振装置
６  制御盤
７  ロープヒッチビーム
８  機械室
８ａ  床面
９  昇降路
１０  機械室構造
１１  作業台
１１ａ  脚
１１ｂ  点検用扉
２１  ロープヒッチ部
３０  収納スペース
３１  補助制御盤
３２  配管類
【図１】
2005219918.tif 000003
【図２】
2005219918.tif 000004
【図３】
2005219918.tif 000005
【図４】
2005219918.tif 000006